(57)【要約】【課題】電波時計や上位装置が不要であり、ユーザが時刻設定作業を行うことなく、時計の時刻を正確な時刻に保持することができる映像装置を提供する。【解決手段】内部に時計を備えたＤＶＤレコーダに、インターネットに接続するための光ファイバ通信部と、標準時刻を管理している標準時刻管理サーバのインターネット上のアドレスを記憶した記憶部と、時計の時刻設定を指示するため操作される時刻設定スイッチとを設ける。そして、外部から電力の供給を受けて通電されたとき、電源が投入されたとき、時刻設定スイッチがＯＮされたときのいずれかのときに、光ファイバ通信部によって光ファイバ通信回線を介してインターネットに接続し、記憶部に記録されたアドレスに基づいて管理サーバに接続する。接続後は、管理サーバから標準時刻を取得し、時計の時刻を標準時刻と一致するように設定する。【選択図】    図５
2004233062.tif 000002
【特許請求の範囲】
【請求項１】
内部に時計を備え、この時計が管理する時刻に基づいて映像のデータを処理する映像装置において、
インターネットに接続するためのインターネット接続手段と、
標準時刻を管理している標準時刻管理装置のインターネット上のアドレスを記憶した記憶部と、
前記時計の時刻を設定する制御部と、
前記時計の時刻設定を指示するために操作される時刻設定スイッチと、を備え、
前記制御部は、外部から電力の供給を受けて通電されたとき、電源が投入されたとき、前記時刻設定スイッチが操作されたとき、のいずれかのときに、前記記憶部に記録された前記アドレスに基づいて前記インターネット接続手段によって前記管理装置に接続し、管理装置から標準時刻を取得して、前記時計の時刻を標準時刻と一致するように設定することを特徴とする映像装置。
【請求項２】
内部に時計を備え、この時計が管理する時刻に基づいて映像のデータを処理する映像装置において、
インターネットに接続するためのインターネット接続手段と、
標準時刻を管理している標準時刻管理装置のインターネット上のアドレスを記憶した記憶部と、
前記記憶部に記録された前記アドレスに基づいて前記インターネット接続手段によって前記管理装置に接続し、管理装置から標準時刻を取得して、前記時計の時刻を標準時刻と一致するように設定する制御部と、を備えたことを特徴とする映像装置。
【請求項３】
請求項２に記載の映像装置において、
前記制御部は、外部から電力の供給を受けて通電されたときに、前記管理装置に接続して標準時刻を取得し、前記時計の時刻を標準時刻と一致するように設定することを特徴とする映像装置。
【請求項４】
請求項２または請求項３に記載の映像装置において、
前記制御部は、電源が投入されたときに、前記管理装置に接続して標準時刻を取得し、前記時計の時刻を標準時刻と一致するように設定することを特徴とする映像装置。
【請求項５】
請求項２ないし請求項４のいずれかに記載の映像装置において、
前記時計の時刻設定を指示するために操作される時刻設定スイッチを備え、
前記制御部は、前記時刻設定スイッチが操作されたときに、前記管理装置に接続して標準時刻を取得し、前記時計の時刻を標準時刻と一致するように設定することを特徴とする映像装置。
【請求項６】
請求項２ないし請求項５のいずれかに記載の映像装置において、
記録媒体に映像のデータを録画する録画手段と、
前記録画手段による予約録画の開始時刻を設定するための時刻設定手段と、を備え、
前記制御部は、前記時刻設定手段によって前記予約録画の開始時刻が設定されると、この開始時刻の所定時間前に、前記管理装置に接続し、管理装置から標準時刻を取得して、前記時計の時刻を標準時刻と一致するように設定し、その後、前記時計の時刻が前記開始時刻と一致したときに、前記録画手段によって録画を開始することを特徴とする映像装置。
【請求項７】
請求項２ないし請求項６のいずれかに記載の映像装置において、
前記制御部は、前記管理装置に接続する前に、前回の前記時計の時刻を設定する直前の標準時刻と時計の時刻との誤差が所定値より小さいか否かを判定し、前記誤差が所定値より小さくなければ、前記管理装置に接続し、管理装置から標準時刻を取得して、前記時計の時刻を標準時刻と一致するように設定し、前記誤差が所定値より小さければ、続けて、前回の前記時計の時刻設定が完了してからの経過時間が所定の経過時間を上回っているか否かを判定し、前記経過時間が所定の経過時間を上回っていれば、前記管理装置に接続し、管理装置から標準時刻を取得して、前記時計の時刻を標準時刻と一致するように設定し、前記経過時間が所定の経過時間を上回っていなければ、前記管理装置に接続しないことを特徴とする映像装置。
【発明の詳細な説明】
【０００１】
【発明の属する技術分野】
本発明は、ＤＶＤレコーダのような映像装置に関し、特に内部に備えた時計の時刻を正確な時刻に設定する映像装置に関するものである。
【０００２】
【従来の技術】
ＤＶＤレコーダのような映像のデータをディスクに記録する等の処理を行う映像装置には、内部に時計が設けられていて、この時計が管理する時刻に基づいて自動的にデータを処理するタイマー機能が備わっている。このタイマー機能の一例として予約録画機能がある。これは、ＤＶＤレコーダに録画開始時刻と録画終了時刻とを設定しておくと、時計の時刻が録画開始時刻になったときに自動的に録画が開始され、時計の時刻が録画終了時刻になったときに自動的に録画が終了されるという機能であって、テレビ放送等の番組を録画するために利用されている。
【０００３】
一般的に、時計の時刻は、映像装置を初めて使用する使用開始時に、ユーザがリモコンや本体のボタンを操作して標準時刻と一致するように設定し、以降は、時計を構成するＩＣが発振子を一定の周期で振動させることによって設定された時刻を保持する。また、停電等の理由によって映像装置に外部から電力の供給が断たれた場合でも、ＩＣが時刻を保持できるように、装置にはバックアップ電池が設けられている。
【０００４】
ところが、発振子の振動の周期は周囲の温度等の影響を受けてばらつくため、時間の経過に伴って時計の時刻が標準時刻からずれてしまうことがある。また、バックアップ電池が消耗すると、停電時等に、ＩＣが発振子を振動させることができず、時計の時刻がクリアされてしまう。このように時計の時刻が異常になった場合、予約録画機能により番組を正しく録画できなくなるというようにタイマー機能を正常に利用できなくなったり、タイマー機能自体を利用できなくなるというような不都合が生じるので、ユーザは、時計の時刻を正確な時刻に保持するために、定期的に時計の時刻を設定したり、停電等が発生する度に時計の時刻を設定しなければならなかった。しかし、このような時計の時刻設定作業は、ユーザにとっては非常に煩わしい作業であった。
【０００５】
このような問題を解決するために、下記の特許文献１には、標準時刻電波信号を一定時間毎に受信して正確な時刻を設定する電波時計を実装した映像記録装置が記載されている。これによれば、ユーザが時計の時刻設定作業を行わなくても、時計の時刻が正確な時刻に保持される。しかし、標準時刻電波信号は複数の送信所（国内では福島県と佐賀県の２ヶ所に設置）からそれぞれ異なる周波数で発信されていて、電波時計はそのうちの１つの周波数にしか対応していないので、電波時計が対応していない周波数帯域では、標準時刻電波信号を正しく受信できず、電波時計によって正確な時刻を設定できないという問題がある。また、マンションおよび住宅が密集した地域や、山村地域では、電波がとどかず標準時刻電波信号を受信できない場所があり、そこでは電波時計によって正確な時刻を設定できないという問題がある。さらに、電波時計を装置に実装すると、電波を感度よく受信するためにアンテナを装置本体から突出させる必要があるので、装置が大型化するという問題がある。
【０００６】
一方、下記の特許文献２には、ケーブル等で接続された複数の別の電気機器から時刻を受信して、内部の時計の時刻を設定する電気機器が記載されている。しかしこれは、ユーザが複数の電気機器のどれか１つの時計の時刻を正確な時刻に設定しなければ実現できないという問題がある。また、どれか１つの時計の時刻を正確な時刻に設定しても、時間の経過に伴って全ての電気機器で時計の時刻がずれたり、停電時等に全ての電気機器で時計の時刻がクリアされてしまうので、結局、ユーザが時計の時刻を正確な時刻に設定しなければならないという問題がある。
【０００７】
また、下記の特許文献３には、複数のＡＶ機器と、複数のＡＶ機器の時計の時刻を管理するとともに、デジタル衛星放送に重畳された標準時刻を定期的に取り込んで時計の時刻を正確な時刻に補正する制御装置とをネットワーク接続し、制御装置で補正した正確な時刻の情報をＡＶ機器に送信して、ＡＶ機器の時計の時刻を設定する技術が記載されている。しかしこれは、ユーザが上記の制御装置のような上位装置を導入しなければ実現できないので、導入のために費用がかかるという問題がある。
【０００８】
【特許文献１】
特開２００１−２０８８７７号公報
【特許文献２】
特開２００２−１９０８０５号公報
【特許文献３】
特開２００１−２９８４６５号公報
【０００９】
【発明が解決しようとする課題】
本発明は、上記問題点を解決するものであって、その課題とするところは、電波時計や上位装置が不要であり、ユーザが時刻設定作業を行うことなく、時計の時刻を正確な時刻に保持することができる映像装置を提供することにある。
【００１０】
【課題を解決するための手段】
本発明は、内部に時計を備え、この時計が管理する時刻に基づいて映像のデータを処理する映像装置において、インターネットに接続するためのインターネット接続手段と、標準時刻を管理している標準時刻管理装置のインターネット上のアドレスを記憶した記憶部と、記憶部に記録されたアドレスに基づいてインターネット接続手段によって管理装置に接続し、管理装置から標準時刻を取得して、時計の時刻を標準時刻と一致するように設定する制御部とを設ける。
【００１１】
このように、インターネットを介して標準時刻管理装置から標準時刻を取得し、時計の時刻を標準時刻と一致するように設定することで、ユーザが時刻設定作業を行わなくても、時計の時刻を正確な時刻に保持することができる。このため、映像装置でタイマー機能を常に正常に利用することができる。また、電波時計が不要となるため、周波数帯域や地域を問題にすることなく、時計の時刻を正確な時刻に設定して保持することができ、また、特許文献１の装置のように、映像装置が大型化することもない。さらに、特許文献３の制御装置のような上位装置が不要となるため、上位装置を導入するための費用がかかることもない。
【００１２】
また、本発明においては、制御部は、外部から電力の供給を受けて通電されたときに、管理装置に接続して標準時刻を取得し、時計の時刻を標準時刻と一致するように設定する。
【００１３】
このようにすると、ユーザが映像装置を初めて使用する使用開始時に、自動的に時計の時刻を正確な時刻に設定することができる。また、停電等の理由によって映像装置に電力の供給が断たれて、時計の時刻がクリアされても、その後、映像装置に通電があったときに、自動的に時計の時刻を正確な時刻に設定することができる。このため、映像装置にバックアップ電池を設ける必要がなくなり、また、映像装置でタイマー機能を設定していた場合に、映像装置に電力の供給が断たれても、タイマー機能を利用することができる。
【００１４】
また、本発明においては、制御部は、電源が投入されたときに、管理装置に接続して標準時刻を取得し、時計の時刻を標準時刻と一致するように設定する。このようにすると、ユーザは時計の時刻が確実に正確な時刻になっている状態で映像装置を使用することができる。
【００１５】
また、本発明においては、時計の時刻設定を指示するために操作される時刻設定スイッチを設けた場合は、制御部は、時刻設定スイッチが操作されたときに、管理装置に接続して標準時刻を取得し、時計の時刻を標準時刻と一致するように設定する。このようにすると、ユーザが任意のタイミングで時計の時刻を正確な時刻に設定することができる。
【００１６】
また、本発明においては、上記の構成に加えて、記録媒体に映像のデータを録画する録画手段と、録画手段による予約録画の開始時刻を設定するための時刻設定手段とを設けた場合、制御部は、時刻設定手段によって予約録画の開始時刻が設定されると、この開始時刻の所定時間前に、管理装置に接続し、管理装置から標準時刻を取得して、時計の時刻を標準時刻と一致するように設定し、その後、時計の時刻が開始時刻と一致したときに、録画手段によって録画を開始する。
【００１７】
このようにすると、時計の時刻が確実に正確な時刻になっている状態で記録媒体に録画を開始することができるので、テレビ放送等の番組を、先頭部や終了部を録画し損ねることなく、完全に記録媒体に録画することができる。
【００１８】
さらに、本発明では、他の実施形態として、制御部は、管理装置に接続する前に、前回の時計の時刻を設定する直前の標準時刻と時計の時刻との誤差が所定値より小さいか否かを判定する。判定の結果、誤差が所定値より小さくなければ、管理装置に接続し、管理装置から標準時刻を取得して、時計の時刻を標準時刻と一致するように設定し、誤差が所定値より小さければ、続けて、前回の時計の時刻設定が完了してからの経過時間が所定の経過時間を上回っているか否かを判定する。この判定の結果、経過時間が所定の経過時間を上回っていれば、管理装置に接続し、管理装置から標準時刻を取得して、時計の時刻を標準時刻と一致するように設定し、経過時間が所定の経過時間を上回っていなければ、管理装置には接続しない。
【００１９】
このように、前回の時刻設定時の標準時刻と時計の時刻との誤差が小さく、かつ、前回の時刻設定が完了してからの経過時間が短い場合に、管理装置に接続しないようにすることで、時計の時刻が正確な時刻になっている状態でインターネットに接続するという無駄な接続をなくすことができ、インターネットへの接続回数を減らして通信コストを低く抑えることができる。
【００２０】
【発明の実施の形態】
図１は、ＤＶＤレコーダの外観図であって、（ａ）は前面図、（ｂ）は背面図である。図１（ａ）において、１はＤＶＤレコーダであって、ＤＶＤ２０（Ｄｉｇｉｔａｌ  Ｖｅｒｓａｔｉｌｅ  Ｄｉｓｋ）に記録されたデータを読み取って再生する再生機能と、テレビ等の外部から受信したデータをＤＶＤ２０に記録する記録機能とを備えている。また、ＤＶＤレコーダ１は、ユーザによって設定された時刻に映像のデータをＤＶＤ２０に録画する予約録画機能のようなタイマー機能も備えている。ＤＶＤレコーダ１は、本発明における映像装置を構成し、ＤＶＤ２０は本発明における記録媒体を構成する。
【００２１】
ＤＳは電源スイッチである。この電源スイッチＤＳが操作されてＯＮ状態になると、ＤＶＤレコーダ１は、電源が投入されて動作可能状態となる。２はＤＶＤ２０を内部に取り込むためのトレイである。３は表示部であって、ＤＶＤレコーダ１の内部に備わる時計９（図２に図示）が管理している時刻と日付を表示する。なお、表示部４は、図１（ａ）では時刻と日付しか表示していないが、ＤＶＤレコーダ１が再生、記録、早送り等の動作中には、その動作状態も表示する。ＪＳは時刻設定スイッチであって、時計９の時刻設定を指示するために操作される。
【００２２】
４はＤＶＤレコーダ１の再生、記録、早送り等の動作を制御するリモコンである。ＤＳａはリモコン４に設けられた電源スイッチ、ＪＳａはリモコン４に設けられた時刻設定スイッチである。なお、リモコン４には、ＤＶＤレコーダ１で予約録画機能を利用するときの録画開始時刻と録画終了時刻とを設定するためのキー（図示省略）も設けられている。リモコン４は、本発明における時刻設定手段を構成する。
【００２３】
図１（ｂ）において、５は映像音声入出力端子（以下、入出力端子と記す）であって、テレビやスピーカ等の外部機器に接続されたケーブルが装着される。６はアンテナ用端子であって、衛星放送受信用のアンテナに接続されたケーブルが装着される。７は光ファイバ用端子であって、公衆の光ファイバ通信回線に接続するための光ファイバケーブルが装着される。８は電源プラグであって、この電源プラグ８がコンセントに挿し込まれると、ＤＶＤレコーダ１は外部から電力の供給を受けて通電された状態となる。
【００２４】
図２は、ＤＶＤレコーダ１の電気的構成を示したブロック図である。図２において、１０は本発明における制御部であって、ＣＰＵやメモリから構成される。９は時刻Ｔａと日付を管理する時計であって、発振子を備えたＩＣやメモリ等から構成されている。時計９を構成するＩＣは、後述するように時計９の時刻Ｔａが設定されると、発振子を一定の周期で振動させることにより設定された時刻Ｔａを保持する。なお、停電や電源プラグ８がコンセントから抜ける等の理由によってＤＶＤレコーダ１に外部から電力の供給が断たれた場合は、時計９を構成するＩＣが発振子を振動させることができず、時計９の時刻Ｔａがクリアされる。
【００２５】
１１は前述のリモコン４からの信号を受信するリモコン受信部であって、ＤＶＤレコーダ１の筐体の前面に設けられる（図１（ａ）では図示省略）。１２は本発明における記憶部であって、ＲＡＭやＥＥＰＲＯＭ等のメモリから構成される。この記憶部１２には、標準時刻を管理している標準時刻管理サーバ６０（図３に図示）のインターネット上のアドレスＡと、後述するプロバイダ情報Ｐと、後述する時刻設定所要時間ｔｃ（図７に図示）とが予め所定の領域に記憶されている。また、記憶部１２には、リモコン４で録画開始時刻と録画終了時刻とが設定されると、制御部１０によってこれらの時刻が、ＴｂとＴｚで示すように所定の領域に記憶される。
【００２６】
３は前述の表示部である。１３はＤＶＤレコーダ１の筐体に設けられた操作部であって、前述の電源スイッチＤＳや時刻設定スイッチＪＳや、その他各種のキー等から構成される。１４はＤＶＤ２０に記録されたデータを再生するディスク再生部である。１５はテレビ等の外部から受信したデータをＤＶＤ２０に記録するディスク記録部である。ディスク記録部１５は、映像のデータをＤＶＤ２０に録画する本発明における録画手段を構成する。１６は入出力インターフェイスであって、前述の入出力端子５を備えている。ＤＶＤレコーダ１は、この入出力インターフェイス１６によってテレビ等の外部機器と電気的に接続され、音声信号や映像信号の送受信を行う。
【００２７】
１７は衛星放送用チューナであって、前述のアンテナ用端子６を備えている。衛星放送受信用のアンテナで受信した衛星放送信号は、このチューナ１７によって映像や音声等のデータに変換される。１８は光ファイバ通信部であって、前述の光ファイバ用端子７やケーブルテレビ放送用のチューナを備えている。ＤＶＤレコーダ１は、この光ファイバ通信部１８によって後述するようにインターネットに接続する。光ファイバ通信部１８は、本発明におけるインターネット接続手段を構成する。１９は電源部であって、前述の電源プラグ８を介して外部から供給される電力をＤＶＤレコーダ１の各部へ送る。
【００２８】
図３は、ＤＶＤレコーダ１による標準時刻の取得方法を説明する図である。図３において、３０はＤＶＤレコーダ１を所有しているユーザの家庭に設置されている回線終端装置、Ｃは光ファイバ用端子７に装着される光ファイバケーブルであって、ＤＶＤレコーダ１と回線終端装置３０とを接続する。４０は電話局に設置されている光収容ビル装置、Ｋは回線終端装置３０と光収容ビル装置４０とをつなぐ公衆の光ファイバ通信回線である。５０はインターネット接続サービスを提供しているプロバイダであって、ユーザはこのプロバイダ５０とサービスを受ける契約を交わしている。なお、プロバイダ５０からサービスを受けるために必要な認証キー等のプロバイダ情報Ｐは、図２に示したように記憶部１２の所定の領域に記憶されている。ＩＰは電話局とプロバイダ５０とをつなぐ地域ＩＰ（Ｉｎｔｅｒｎｅｔ  Ｐｒｏｔｏｃｏｌ）網である。６０は標準時刻Ｔｓを管理している標準時刻管理サーバ（以下、管理サーバと記す）であって、インターネットＷに接続されている。管理サーバ６０は、本発明における標準時刻管理装置を構成する。
【００２９】
上記の構成において、まず、ＤＶＤレコーダ１の制御部１０は、光ファイバ通信部１８によって光ファイバ通信回線Ｋと電話局とを介してプロバイダ５０に接続する。そして、プロバイダ５０からインターネットＷに接続し、さらに、記憶部１２に記憶されたアドレスＡに基づいて管理サーバ６０に接続する。この後は、管理サーバ６０から標準時刻Ｔｓを取得し、この標準時刻Ｔｓをメモリの所定の領域で管理する。
【００３０】
図４〜図６は、ＤＶＤレコーダ１の基本的な動作を示したフローチャートであって、制御部１が各処理を実行する。なお、図５は時刻設定処理（図４のステップＳ２とステップＳ５、および図６のステップＳ２３）の詳細を示したフローチャートであり、図６はスイッチ監視処理（図４のステップＳ６）の詳細を示したフローチャートである。図４において、ＤＶＤレコーダ１を初めて使用する使用開始時の場合は、ユーザによって電源プラグ８がコンセントに接続されることにより、ＤＶＤレコーダ１が外部から電力の供給を受けて通電されると（ステップＳ１：ＹＥＳ）、制御部１０が図５の時刻設定処理を実行する（ステップＳ２）。
【００３１】
図５において、まず、制御部１０は、光ファイバ通信部１８によってインターネットＷを介して管理サーバ６０に接続し（ステップＳ１１）、管理サーバ６０から標準時刻Ｔｓを取得する（ステップＳ１２）。そして、時計９の時刻Ｔａを読み込んで（ステップＳ１３）、この時刻Ｔａが標準時刻Ｔｓと一致しているか否かを判定する（ステップＳ１４）。このときは、時計９の時刻がまだ一度も設定されていないので、時刻Ｔａが標準時刻Ｔｓと一致していないと判定し（ステップＳ１４：ＮＯ）、時計９の時刻Ｔａを標準時刻Ｔｓと一致するように設定し（ステップＳ１５）、時刻設定処理を終了する。
【００３２】
時刻設定処理を終了すると、ＤＶＤレコーダ１は図４のステップＳ３で待機状態となる。この後、操作部１３の電源スイッチＤＳまたはリモコン４の電源スイッチＤＳａがユーザに押されてＯＮ状態になると、ＤＶＤレコーダ１に電源が投入されて（ステップＳ３：ＹＥＳ）、制御部１０は、ＤＶＤ２０に対してデータの読み取りまたは記録を行うためのピックアップの初期調整動作を実行する（ステップＳ４）。具体的には、ピックアップが照射するレーザの出力調整等を行う。そして、初期調整動作を終了すると、続けて、時計９の時刻設定処理を図５の手順に従って実行する（ステップＳ５）。
【００３３】
図５において、制御部１０は、上述したように光ファイバ通信部１８によって管理サーバ６０に接続し（ステップＳ１１）、管理サーバ６０から標準時刻Ｔｓを取得する（ステップＳ１２）。そして、時計９の時刻Ｔａを読み込んで（ステップＳ１３）、この時刻Ｔａが標準時刻Ｔｓと一致しているか否かを判定する（ステップＳ１４）。このときは、図４のステップＳ２で時計９の時刻Ｔａが設定されているので、時刻Ｔａと標準時刻Ｔｓとを照合する。そして、時計９の時刻Ｔａが標準時刻Ｔｓと一致していなければ（ステップＳ１４：ＮＯ）、時計９の時刻Ｔａを標準時刻Ｔｓと一致するように設定し（ステップＳ１５）、時刻設定処理を終了する。一方、時計９の時刻Ｔａが標準時刻Ｔｓと一致していれば（ステップＳ１４：ＹＥＳ）、時計９の時刻Ｔａをそのままにして時刻設定処理を終了する。
【００３４】
時刻設定処理を終了すると、図４のステップＳ６で制御部１０は図６の手順に従ってスイッチ監視処理を実行する。図６において、まず、電源スイッチＤＳ、ＤＳａがＯＦＦ状態か否かを確認する（ステップＳ２１）。このとき、電源スイッチＤＳ、ＤＳａがユーザに押されてＯＦＦ状態になっていれば（ステップＳ２１：ＹＥＳ）、スイッチ監視処理を終了して、図４のステップＳ３へ移行し、再び電源スイッチＤＳ、ＤＳａがユーザに押されてＯＮ状態となり、ＤＶＤレコーダ１に電源が投入されるのを待つ。
【００３５】
一方、ステップＳ２１において、電源スイッチＤＳ、ＤＳａがＯＮ状態のままであれば（ステップＳ２１：ＮＯ）、続けて、操作部１３の時刻設定スイッチＪＳまたはリモコン４の時刻設定スイッチＪＳａがＯＮ状態か否かを確認する（ステップＳ２２）。このとき、時刻設定スイッチＪＳ、ＪＳａがユーザに押されてＯＮ状態になっていれば（ステップＳ２２：ＹＥＳ）、図５で説明した手順と同様にして、時刻設定処理を実行する（ステップＳ２３）。そして、この処理を終了した後、ステップＳ２４へ移行する。これに対して、時刻設定スイッチＪＳ、ＪＳａがユーザに押されずにＯＦＦ状態のままであれば（ステップＳ２２：ＮＯ）、ステップＳ２３の時刻設定処理は実行せずに、ステップＳ２４へ移行する。
【００３６】
ステップＳ２４では、電源スイッチＤＳ、ＤＳａと時刻設定スイッチＪＳ、ＪＳａ以外の他のスイッチまたはキーがＯＮ状態か否かを確認する。このとき、他のスイッチまたはキーがユーザに操作されずにＯＦＦ状態のままであれば（ステップＳ２４：ＮＯ）、ステップＳ２１へ移行し、再び電源スイッチＤＳ、ＤＳａがＯＦＦ状態か否かを確認する。一方、他のスイッチまたはキーがユーザに操作されてＯＮ状態になっていれば（ステップＳ２４：ＹＥＳ）、そのスイッチまたはキーに対する処理を行う（ステップＳ２５）。例えば、図１に示したトレイ２を動作させるためのスイッチ（図示省略）が押されると、トレイ２を突出させ、再度そのスイッチが押されると、トレイ２を引き込んで、トレイ２にＤＶＤ２０が載置されているかどうかを検出する検出動作を行う。他のスイッチまたはキーに対する処理を終了すると、ステップＳ２１へ移行し、再び電源スイッチＤＳ、ＤＳａがＯＦＦ状態か否かを確認する。
【００３７】
なお、上述した図４〜図６の動作中に、停電や電源プラグ８がコンセントから抜ける等の理由によってＤＶＤレコーダ１に外部から電力の供給が断たれた場合は、再び図４のステップＳ１から動作を開始する。そのとき、時計９の時刻はクリアされた状態となっているが、ＤＶＤレコーダ１が外部から電力の供給を受けて通電されると（ステップＳ１：ＹＥＳ）、制御部１０が時計９の時刻設定処理を実行する（ステップＳ２）。
【００３８】
以上の手順のように、インターネットＷを介して管理サーバ６０から標準時刻Ｔｓを取得し、時計９の時刻Ｔａを標準時刻Ｔｓと一致するように設定することで、ユーザが時刻設定作業を行わなくても、時計９の時刻Ｔａを正確な時刻に保持することができる。このため、ＤＶＤレコーダ１でタイマー機能を常に正常に利用することができる。また、電波時計が不要となるため、周波数帯域や地域を問題にすることなく、時計９の時刻Ｔａを正確な時刻に設定して保持することができ、また、ＤＶＤレコーダ１が大型化するということもない。さらに、特許文献３の制御装置のような上位装置が不要となるため、上位装置を導入するための費用がかかることもない。
【００３９】
また、通電されたときに時刻設定処理を実行することで、ユーザがＤＶＤレコーダ１を初めて使用する使用開始時に、自動的に時計９の時刻Ｔａを正確な時刻に設定することができる。また、停電等の理由によってＤＶＤレコーダ１に電力の供給が断たれて、時計９の時刻Ｔａがクリアされても、その後、ＤＶＤレコーダ１に通電があったときに、自動的に時計９の時刻Ｔａを正確な時刻に設定することができる。このため、ＤＶＤレコーダ１にバックアップ電池を設ける必要がなくなり、また、ＤＶＤレコーダ１でタイマー機能を設定していた場合に、ＤＶＤレコーダ１に電力の供給が断たれても、タイマー機能を利用することができる。
【００４０】
また、電源が投入されたときに時刻設定処理を実行することで、ユーザは時計９の時刻Ｔａが確実に正確な時刻になっている状態でＤＶＤレコーダ１を使用することができる。さらに、時刻設定スイッチＪＳ、ＪＳａが操作されたときに時刻設定処理を実行することで、ユーザが任意のタイミングで時計９の時刻Ｔａを正確な時刻に設定することができる。
【００４１】
図７は、予約録画を行う場合のＤＶＤレコーダ１の動作を示したフローチャートである。図７において、テレビ放送等の番組をＤＶＤ２０に録画するために予約録画機能を利用する場合に、ユーザがリモコン４を操作して予約録画の録画開始時刻Ｔｂと録画終了時刻Ｔｚとを設定すると（ステップＳ３１：ＹＥＳ）、制御部１０は、記憶部１２から時刻設定所要時間ｔｃを読み込む（ステップＳ３２）。なお、時刻設定所要時間ｔｃとは、図５で説明した時刻設定処理を実行するのに要する時間のことであって、本発明における所定時間である。時刻設定所要時間ｔｃを読み込むと、録画開始時刻Ｔｂから時刻設定所要時間ｔｃを減算して時刻設定開始時刻Ｔｄを演算する（ステップＳ３３、演算式：Ｔｄ＝Ｔｂ−ｔｃ）。
【００４２】
演算後、時計９の時刻Ｔａを読み込んで（ステップＳ３４）、読み込んだ時刻Ｔａが時刻設定開始時刻Ｔｄになったか否かを判定する（ステップＳ３５）。このとき、時計９の時刻Ｔａがまだ時刻設定開始時刻Ｔｄになっていなければ（ステップＳ３５：ＮＯ）、ステップＳ３４へ移行し、再び時計９の時刻Ｔａを読み込んで、時刻Ｔａが時刻設定開始時刻Ｔｄになったか否かを判定する（ステップＳ３５）。そして、ステップＳ３４とステップＳ３５の処理を繰り返し実行して、時計９の時刻Ｔａが時刻設定開始時刻Ｔｄになると（ステップＳ３５：ＹＥＳ）、図５で説明した手順と同様にして、時刻設定処理を実行する（ステップＳ３６）。
【００４３】
時刻設定処理を終了すると、時計９の時刻Ｔａを読み込んで（ステップＳ３７）、読み込んだ時刻Ｔａが録画開始時刻Ｔｂになったか否かを判定する（ステップＳ３８）。このとき、時計９の時刻Ｔａがまだ録画開始時刻Ｔｂになっていなければ（ステップＳ３８：ＮＯ）、ステップＳ３７へ移行し、再び時計９の時刻Ｔａを読み込んで、時刻Ｔａが録画開始時刻Ｔｂになったか否かを判定する（ステップＳ３８）。そして、ステップＳ３７とステップＳ３８の処理を繰り返し実行して、時計９の時刻Ｔａが録画開始時刻Ｔｂになると（ステップＳ３８：ＹＥＳ）、ディスク記録部１５によって録画動作を実行する（ステップＳ３９）。これにより、テレビ放送等の番組の映像がＤＶＤ２０に録画される。この後は、時計９の時刻Ｔａが録画終了時刻Ｔｚになったときに、ディスク記録部１５による録画動作を終了する。
【００４４】
このような手順によると、時計９の時刻Ｔａが確実に正確な時刻になっている状態でＤＶＤ２０に録画を開始することができるので、テレビ放送等の番組を、先頭部や終了部を録画し損ねることなく、完全にＤＶＤ２０に録画することができる。
【００４５】
図８および図９は、本発明の他の実施形態を説明する図であって、図８は記憶部１２に記録された時刻設定履歴テーブルを示した図であり、図９は図８の時刻設定履歴テーブルに基づいて実行される時刻設定処理の詳細を示したフローチャートである。図８において、時刻設定履歴テーブル（以下、履歴テーブルと記す）Ｒは、時計９の時刻設定を行った履歴を示すテーブルであって、記憶部１２（図２）の所定の領域に記憶されている。「設定Ｎｏ．」は、時計９の時刻を設定した順番を表している。「誤差Ｔｇ」は、時計９の時刻Ｔａを標準時刻Ｔｓと一致するように設定する直前の標準時刻Ｔｓと時計９の時刻Ｔａとの誤差（絶対値）を表している（演算式：｜Ｔｇ＝Ｔａ−Ｔｓ｜）。「時刻設定完了時刻Ｔｅ」は、時計９の時刻Ｔａを標準時刻Ｔｓと一致するように設定した直後の時刻を表していて、その時の時計９の時刻Ｔａを記録している。「時刻設定間隔ｔｈ」は、前回の時刻設定完了時刻Ｔｅ（ｎ−１）から今回の時刻設定完了時刻Ｔｅ（ｎ）までの時間間隔を表している（演算式：ｔｈ（ｎ）＝Ｔｅ（ｎ）−Ｔｅ（ｎ−１））。なお、時刻設定間隔ｔｈは、本発明における所定の経過時間である。
【００４６】
次に、図９において、まず前提として、この時刻設定処理は、図４のステップＳ５と図６のステップＳ２３とに適用する。このため、ＤＶＤレコーダ１に電源が投入されて（図４のステップＳ３：ＹＥＳ）、初期調整動作が実行された（図４のステップＳ４）後、または、時刻設定スイッチＪＳ、ＪＳａがユーザに押されてＯＮ状態になった（図６のステップＳ２２：ＹＥＳ）後に、この時刻設定処理が実行される。
【００４７】
時刻設定処理を開始すると、まず、制御部１０は、記憶部１２に記録されている履歴テーブルＲから前回の誤差Ｔｇを読み込み（ステップＳ４１）、この誤差Ｔｇが１秒より小さいか否かを判定する（ステップＳ４２）。なお、誤差Ｔｇと比較する「１秒」という値は、本発明における所定値である。この値は、本実施形態では、記憶部１２の所定の領域に予め記憶されているが、ユーザがリモコン４等を操作して任意の値に設定できるようにしてもよい。
【００４８】
ステップＳ４２において、前回の誤差Ｔｇが１秒より小さくなければ（ステップＳ４２：ＮＯ）、ステップＳ４８に移行する。そして、ステップＳ４８において、光ファイバ通信部１８によってインターネットＷを介して管理サーバ６０に接続し、管理サーバ６０から標準時刻Ｔｓを取得する（ステップＳ４９）。取得後は、時計９の時刻Ｔａを読み込んで（ステップＳ５０）、この時刻Ｔａが標準時刻Ｔｓと一致しているか否かを判定する（ステップＳ５１）。このとき、時計９の時刻Ｔａが標準時刻Ｔｓと一致していなければ（ステップＳ５１：ＮＯ）、標準時刻Ｔｓと時計９の時刻Ｔａとの誤差Ｔｇを上述したように演算して履歴テーブルＲに記録する（ステップＳ５２）。そして、時計９の時刻Ｔａを標準時刻Ｔｓと一致するように設定し（ステップＳ５３）、設定した後の時計９の時刻Ｔａを今回の時刻設定完了時刻Ｔｅとして履歴テーブルＲに記録する（ステップＳ５４）。さらに、今回の時刻設定完了時刻Ｔｅと前回の時刻設定完了時刻とから今回の時刻設定間隔ｔｈを上述したように演算して履歴テーブルＲに記録する（ステップＳ５５）。記録した後は、時刻設定処理を終了して、図４のステップＳ６または図６のステップＳ２４へ移行する。
【００４９】
上記に対して、ステップＳ４２において、前回の誤差Ｔｇが１秒より小さければ（ステップＳ４２：ＹＥＳ）、履歴テーブルＲから前回の時刻設定完了時刻Ｔｅを読み込むとともに（ステップＳ４３）、時計９の時刻Ｔａを読み込んで（ステップＳ４４）、前回の時刻設定完了時刻Ｔｅからの経過時間ｔｆを演算する（ステップＳ４５、演算式：ｔｆ＝Ｔａ−Ｔｅ）。経過時間ｔｆを演算すると、履歴テーブルＲから前回の時刻設定間隔ｔｈを読み込んで（ステップＳ４６）、経過時間ｔｆが前回の時刻設定完了時刻Ｔｅを上回っているか否かを判定する（ステップＳ４７）。このとき、経過時間ｔｆが前回の時刻設定完了時刻Ｔｅを上回っていれば（ステップＳ４７：ＹＥＳ）、光ファイバ通信部１８によって管理サーバ６０に接続し（ステップＳ４８）、標準時刻Ｔｓを取得して（ステップＳ４９）  、上述したようにステップＳ５０〜ステップＳ５２の処理を実行する。そして、ステップＳ５３で時計９の時刻Ｔａを標準時刻Ｔｓと一致するように設定し、ステップＳ５４とステップＳ５５の処理を実行した後、時刻設定処理を終了する。その後は、図４のステップＳ６または図６のステップＳ２４へ移行する。
【００５０】
一方、ステップＳ４７において、経過時間ｔｆが前回の時刻設定完了時刻Ｔｅを上回っていなければ（ステップＳ４７：ＮＯ）、管理サーバ６０に接続することなく、時刻設定処理を終了する。その後は、図４のステップＳ６または図６のステップＳ２４へ移行する。
【００５１】
上記の手順のように、前回の時刻設定時の標準時刻Ｔｂと時計９の時刻Ｔａとの誤差Ｔｇが小さく（ステップＳ４２：ＹＥＳ）、かつ、前回の時刻設定完了時刻Ｔｅからの経過時間ｔｆが短い場合に（ステップＳ４７：ＮＯ）、管理サーバ６０に接続しないようにすることで、時計９の時刻Ｔａが正確な時刻になっている状態でインターネットＷに接続するという無駄な接続をなくすことができ、インターネットＷへの接続回数を減らして通信コストを低く抑えることができる。
【００５２】
本発明では、上述した以外にも種々の実施形態を採用することができる。例えば、上記実施形態においては、インターネット接続手段として、光ファイバ通信回線Ｋを使用してインターネットＷに接続する光ファイバ通信部１８を例に挙げたが、本発明のインターネット接続手段は、これのみに限定するものではない。これ以外に、例えば衛星を使用してインターネットＷに接続することが可能な衛星放送用チューナ１７や、公衆電話回線を使用してインターネットＷに接続することが可能なＬＡＮ（Ｌｏｃａｌ  Ａｒｅａ  Ｎｅｔｗｏｒｋ）接続用のアダプタとモデムのようなものであってもよい。
【００５３】
また、図９の実施形態においては、所定の経過時間として、前回の時刻設定完了時刻Ｔｅ（ｎ−１）から今回の時刻設定完了時刻Ｔｅ（ｎ）までの時間間隔を表す時刻設定間隔ｔｈを用いた例を挙げたが、本発明の所定の経過時間はこれのみに限定するものではない。これ以外に、例えば過去に演算した幾つかの時刻設定間隔ｔｈを平均した時間や、ユーザが設定する任意の時間であってもよい。
【００５４】
また、上記実施形態においては、記録媒体としてＤＶＤ（Ｄｉｇｉｔａｌ  Ｖｅｒｓａｔｉｌｅ  Ｄｉｓｋ）を例に挙げたが、本発明の記録媒体は、例えばＤＶＤ以外のディスクや、ハードディスクや、ビデオテープのようなものであってもよい。
【００５５】
さらに、上記実施形態においては、映像装置としてＤＶＤレコーダ１を例に挙げたが、本発明の映像装置は、例えばディスクレコーダや、ハードディスクレコーダや、ビデオや、テレビのようなものであってもよい。
【００５６】
【発明の効果】
本発明によれば、インターネットを介して標準時刻管理装置から標準時刻を取得し、時計の時刻を標準時刻と一致するように設定するので、ユーザが時刻設定作業を行わなくても、時計の時刻を正確な時刻に保持することができる。また、電波時計が不要となるため、周波数帯域や地域を問題にすることなく、時計の時刻を正確な時刻に設定して保持することができ、映像装置が大型化することもない。さらに、上位装置が不要となるため、上位装置を導入するための費用がかかることもない。
【図面の簡単な説明】
【図１】ＤＶＤレコーダの外観図である。
【図２】ＤＶＤレコーダの電気的構成を示したブロック図である。
【図３】ＤＶＤレコーダによる標準時刻の取得方法を説明する図である。
【図４】ＤＶＤレコーダの基本的な動作を示したフローチャートである。
【図５】ＤＶＤレコーダの基本的な動作を示したフローチャートである。
【図６】ＤＶＤレコーダの基本的な動作を示したフローチャートである。
【図７】予約録画を行う場合の動作を示したフローチャートである。
【図８】本発明の他の実施形態を説明する図である。
【図９】本発明の他の実施形態を説明する図である。
【符号の説明】
１      ＤＶＤレコーダ
４      リモコン
７      光ファイバ用端子
９      時計
１０    制御部
１２    記憶部
１５    ディスク記録部
１８    光ファイバ通信部
２０    ＤＶＤ
６０    標準時刻管理サーバ
Ａ      アドレス
ＪＳ    時刻設定スイッチ
ＪＳａ  時刻設定スイッチ
Ｔａ    時計の時刻
Ｔｂ    録画開始時刻
ｔｃ    時刻設定所要時間
Ｔｅ    時刻設定完了時刻
ｔｆ    経過時間
Ｔｇ    誤差
ｔｈ    時刻設定間隔
Ｔｓ    標準時刻
Ｗ      インターネット
【図１】
2004233062.tif 000003
【図２】
2004233062.tif 000004
【図３】
2004233062.tif 000005
【図４】
2004233062.tif 000006
【図５】
2004233062.tif 000007
【図６】
2004233062.tif 000008
【図７】
2004233062.tif 000009
【図８】
2004233062.tif 000010
【図９】
2004233062.tif 000011